(57)【要約】　　　（修正有）【課題】コンクリート硬化後も型枠用パネル自体を安全に残しておくことができ、打設時のコンクリート内に生じる空隙や砂利の露出を視認して対処できることはもとより、硬化後も経年変化によりコンクリートが剥落してもそれを受け止められるし、外表面から亀裂や欠損を発見することができ、また、風雨や風雪からコンクリートを保護して劣化を抑制するとともに防水効果を高めてコンクリートの耐久性を向上させることができるコンクリート打設用型枠パネルを提供する。【解決手段】透明または半透明な型枠パネルであって、厚さ方向にコンクリート打設面１ａから外表面１ｂにかけて貫通する貫通孔２Ａを形成し、この貫通孔２Ａのコンクリート打設面１ａ側の開口部は打設されたコンクリート４が浸入して係合する係合用開口部２Ａａとするとともに、貫通孔２Ａの経路の少なくとも一部には、その内周面全体が外側下方へと傾斜する防水用傾斜孔２Ａｃを形成する。【選択図】　　　図２
2004084337.tif 000002
【特許請求の範囲】
【請求項１】
コンクリートを打設してコンクリート構造物を成型するための型枠に使用される透明または半透明な型枠パネルであって、
この型枠パネルの厚さ方向にコンクリート打設面から外表面にかけて貫通する貫通孔が形成されており、この貫通孔のコンクリート打設面側の開口部は打設されたコンクリートが浸入して係合する係合用開口部とされているとともに、前記貫通孔の経路には少なくとも一部に外側下方へと傾斜する防水用傾斜面が形成されていることを特徴とするコンクリート打設用型枠パネル。
【請求項２】
請求項１において、前記貫通孔の前記外表面側の開口部が、前記コンクリート打設面側の開口部よりも小さな径に形成されていることを特徴とするコンクリート打設用型枠パネル。
【請求項３】
請求項１または請求項２において、前記貫通孔の経路の一部には、外側上方へと傾斜するコンクリート流出防止用傾斜面が形成されていることを特徴とするコンクリート打設用型枠パネル。
【請求項４】
コンクリートを打設してコンクリート構造物を成型するための型枠に使用される透明または半透明の型枠パネルであって、この型枠パネルのコンクリート打設面側には、打設されたコンクリートが係合するための係合用突起および係合用穴の少なくとも一方が形成されていることを特徴とするコンクリート打設用型枠パネル。
【請求項５】
請求項１から請求項４のいずれかにおいて、前記コンクリート打設用型枠パネルの一縁部には、縁部外側方向に突出した凸状連接部が形成されているとともに、他の縁部には、隣接する他のコンクリート打設用型枠パネルの凸状連接部と合致して境界部分を平面状に構成する凹状連接部が形成されていることを特徴とするコンクリート打設用型枠パネル。
【請求項６】
請求項１から請求項５のいずれかにおいて、前記コンクリート打設用型枠パネルはアクリル樹脂により形成されていることを特徴とするコンクリート打設用型枠パネル。
【発明の詳細な説明】
【０００１】
【発明の属する技術分野】
本発明は、コンクリート構造物を成型するための透明なコンクリート打設用型枠パネルに関し、特に、建築物の外壁やトンネルの内壁等の外部に露出する部分を成型する型枠に用いられるのに好適なコンクリート打設用型枠パネルに関するものである。
【０００２】
【従来の技術】
従来から、マンション等の建築物、橋梁、高速道路、トンネル、ダム等のコンクリート構造物は、型枠を組んでその内側にコンクリートを打ち込み、養生させて硬化させる工程を経て製造されている。このコンクリート打設工程で使われる型枠は、主にラワン材等を原料としたベニヤ板パネルや鉄やアルミニウム等の金属製パネルを組み合わせて構成されている。前記型枠は、建築物や土木構造物のコンクリート工事において大量に使用されるので、一般には安価なベニヤ板製のパネルが用いられることが多く、より強度が必要とされる箇所には、金属製のパネルが適宜選択されている。
【０００３】
しかしながら、従来の型枠用パネルは不透明であったため、外表面から内側を観察することができず、打ち込まれたコンクリートの状態を把握することは困難であった。このため、コンクリートを打設した際に内部に空隙が存在していたり、コンクリート表面に砂利が露出していても型枠用パネルを通して目で確認することはできなかった。したがって、ベテラン作業者がハンマーなどで型枠を叩いて反響音を聞き分けて気泡をずらして除去するなど、ほとんど勘と経験に頼る面が大きかった。これではコンクリート構造物の品質が安定せず、コンクリートの剥落や中性化による劣化を加速させる原因となっている。
【０００４】
このような問題に対して特開平１１−１６５３０８号公報には、コンクリート内部を型枠の外側から観察することができる透明性の高い合成樹脂を素材としたコンクリート打設用パネルが提案されている。この発明によれば、コンクリート打設前の配筋や電気配線のための電包管等の配置状況をパネルを通して確認することができ、配置ミスをなくすることができるとされる。また、合成樹脂がコンクリートとの剥離性に富むため剥離材を表面に塗らなくてもよいという効果があるとされる。
【０００５】
【発明が解決しようとする課題】
しかしながら、公報に開示されたコンクリート打設用パネルにおいては、打設されたコンクリートが硬化した後に撤去されるようになっていたため、撤去後のコンクリートは直接風雨や風雪にさらされてしまい、風化や劣化が進行し易いという問題がある。特に、空隙やひび割れた部分に雨水が浸入すると、冬期間には凍結と解凍が繰り返されて一層被害が拡大するおそれがあるし、浸入した水分により鉄筋が錆びてしまい強度が著しく低下してしまう。
【０００６】
また、誤ってコンクリートが固まりきっていないにも関わらず、型枠を外そうと力を加えてしまった場合、型枠にくっついたコンクリートが動いてしまい、もとのコンクリートの間に隙間ができてしまう。これはいわゆるコールドジョイントと呼ばれる不連続面が生じる原因となり、コンクリートが剥落する原因となる。
【０００７】
さらに、トンネル工事や巨大な建築物の工事ではコンクリートの打ち込みが中断することが多いため、コンクリートの硬化時間がずれて不連続面が生じ、コールドジョイントが発生しやすい。特に、トンネルなどは、列車振動や自動車振動と走行時の空気圧変動が繰り返し作用され、天井や側壁からコンクリートが剥落しやすい状況にある。このようなコンクリート剥落に対する事故防止策は十分なされていない。
【０００８】
本発明は、このような問題点を解決するためになされたもので、打設されたコンクリートと型枠用パネルとの接合力を高めることでコンクリートが固まった後も透明または半透明な型枠用パネル自体を安全に残しておくことができ、打設時のコンクリート内に生じる空隙や砂利の露出を視認して対処できることはもとより、硬化後においても経年変化によりコンクリートが剥落してもそれを受け止められるし、外表面から亀裂や欠損を発見することができ、また、風雨や風雪からコンクリートを保護して劣化を抑制するとともに防水効果を高めてコンクリートの耐久性を向上させることができるコンクリート打設用型枠パネルを提供することを目的としている。
【０００９】
【課題を解決するための手段】
本発明に係るコンクリート打設用型枠パネルの特徴は、コンクリートを打設してコンクリート構造物を成型するための型枠に使用される透明または半透明な型枠パネルであって、この型枠パネルの厚さ方向にコンクリート打設面から外表面にかけて貫通する貫通孔が形成されており、この貫通孔のコンクリート打設面側の開口部は打設されたコンクリートが浸入して係合する係合用開口部とされているとともに、前記貫通孔の経路には少なくとも一部に外側下方へと傾斜する防水用傾斜面が形成されている点にある。
【００１０】
そして、このような構成を採用したことにより、型枠パネルの厚さ方向にコンクリート打設面から外表面まで貫通する貫通孔が形成されているので、打設されたコンクリート内の気泡を除去しやすく、空隙が生じてしまうのを抑制できるという作用を奏するし、また、貫通孔の係合用開口部には、打設されたコンクリートが填り込んで係合するため、コンクリートと型枠パネルとを一体的に接合させられるという作用がある。さらに、貫通孔には外側下方へと傾斜する防水用傾斜面が形成されているため、外表面側から雨水等が浸入しづらく、コンクリートに水が混入したり接触するのを防止するという作用を奏する。
【００１１】
また、本発明において、前記貫通孔の前記外表面側の開口部が、前記コンクリート打設面側の開口部よりも小さな径に形成されていることが好ましい。これにより、コンクリート打設面側の開口部は、打設されたコンクリートが浸入して填りやすくなり、硬化したコンクリートとの接触面積が拡大するため、より一体的な接合状態を形成する。一方、外表面側の開口部は小さいことで雨水等がより浸入しにくくなるし、硬化前のコンクリートが外側へはみ出てしまうのを防止する作用を奏する。
【００１２】
さらに、本発明において、前記貫通孔の経路の一部には、外側上方へと傾斜するコンクリート流出防止用傾斜面が形成されていることが好ましい。これによれば、コンクリート流出防止用傾斜面が硬化前のコンクリートの流出を抑制し、外側にはみ出るのを防止する。
【００１３】
また、本発明に係るコンクリート打設用型枠パネルの特徴は、コンクリートを打設してコンクリート構造物を成型するための型枠に使用される透明または半透明の型枠パネルであって、この型枠パネルのコンクリート打設面側には、打設されたコンクリートが係合するための係合用突起および係合用穴の少なくとも一方が形成されている点にある。ここで、係合用穴には有底の係合用穴と貫通した無底の係合用穴の両方が含まれる。
【００１４】
そして、このような構成を採用したことにより、コンクリート打設面側に形成した係合用突起および係合用穴が、それぞれ打設されたコンクリートと係合して硬化するため、両者が一体的に接合された状態になりコンクリートの外表面を風雨や風雪等から保護する作用を奏し、防水作用にも優れている。
【００１５】
また、本発明において、前記コンクリート打設用型枠パネルの一縁部には、縁部外側方向に突出した凸状連接部が形成されているとともに、他の縁部には、隣接する他のコンクリート打設用型枠パネルの凸状連接部と合致して境界部分を平面状に構成する凹状連接部が形成されていることが好ましい。これにより、上下または左右方向で隣接配置されるコンクリート打設用型枠パネルとの間において凸状連接部および凹状連接部を合致させて接合することにより、安定的な接合部が得られるし、パネル同士の境界部分に段差が生じることもない。
【００１６】
さらに、本発明において、前記コンクリート打設用型枠パネルがアクリル樹脂により形成されていることが好ましい。これにより、全透過率が高いので、打ち込んだコンクリートの硬化前および硬化後の状態を鮮明に把握することができるし、耐候性にも優れているため、特に建築物や土木構造物の壁面のように風雨や風雪からコンクリートを保護するのに適している。また加工性がよいため貫通孔の形成も容易である。
【００１７】
【発明の実施の形態】
以下、本発明に係るコンクリート打設用型枠パネルの実施形態の一例を図面を用いて説明する。
【００１８】
図１は、本発明に係るコンクリート打設用型枠パネル１Ａの第１の実施形態をコンクリート打設面１ａ側から見た正面図であり、図２はその側面から見た断面図である。
【００１９】
本第１実施形態のコンクリート打設用型枠パネル１Ａは、透明または半透明の板であって、その厚さ方向にコンクリート打設面１ａから外表面１ｂにかけて貫通する貫通孔２Ａが複数形成されている。この貫通孔２Ａは、図２に示すように、コンクリート打設面１ａ側の開口部が大きく形成され、外表面１ｂ側の開口部が小さく形成されている。コンクリート打設面１ａ側の開口部には、打設されるコンクリートを浸入させて一体的に係合させる意図があり、できるだけ接触面積が大きくなるように形成されている。そこで、このコンクリート打設面１ａ側の開口部を係合用開口部２Ａａとする。
【００２０】
一方、外表面１ｂ側の開口部には、コンクリート内の気泡を外部へ排出する意図があるが、同時に、外からの雨水などを浸入させないようにするため、しかも流動性のあるコンクリートが外表面１ｂに飛び出さないようにするため、できるだけ小さい径に形成されている。そこで、この外表面１ｂ側の開口部を気泡除去用開口部２Ａｂとする。なお、貫通孔２Ａの断面形状は形成の簡易性から円形状にしているが、これに限られず矩形状その他の形状であってもよい。
【００２１】
また、図２に示すように、貫通孔２Ａは、その貫通経路の少なくとも一部に、コンクリート打設面１ａ側から外表面１ｂ側へ向かう外側下方へと傾斜する防水用傾斜面２Ａｃが形成されている。これは、気泡除去用開口部２Ａｂから流入してくる雨水等を中まで浸入させないようにするためのものである。本第１実施形態では、貫通孔２Ａの全経路にわたって防水用傾斜面２Ａｃが形成されているが、全体にわたって形成されている必要はなく、気泡除去用開口部２Ａｂから入った水がコンクリート４に到達しない程度の傾斜長および傾斜角度に形成されていればよい。
【００２２】
また、図１および図３に示すように、本第１実施形態のコンクリート打設用型枠パネル１Ａは、平面矩形状に形成されており、左右および上下各辺のいずれか一方の縁部には、縁部外側方向に突出した凸状連接部１ｃが形成され、他辺の縁部には、その凸状連接部１ｃに合致する凹状連接部１ｄが形成されている。図３は、隣接する他のコンクリート打設用型枠パネル１Ａとの連接部分を示したものであり、本第１実施形態では、幅方向の表面側が平面外側方向に突出した表面側凸状連接部１ｃと、この形状に合致するように幅方向の表面側が平面内側方向に凹んでいる表面側凹状連接部１ｄとが形成されている。これにより、コンクリート打設用型枠パネル１Ａが、隣接するコンクリート打設用型枠パネル１Ａとの縁部において、表面側凸状連接部１ｃと表面側凹状連接部１ｄとを接着材等を介して重ねて接合すれば、各パネル１Ａを安定的に設置できるし、各パネル１Ａ間の境界部分を平面状に形成できる。
【００２３】
図４は、コンクリート打設用型枠パネル１Ａの縁部における凸状連接部１ｃおよび凹状連接部１ｄの他のバリエーションを示すものである。左右および上下各辺の一縁部には、縁部外側方向に鋭角凸状に形成された鋭角凸状連接部１ｅが形成されており、反対側の他の縁部には、その鋭角凸状連接部１ｅに合致する溝状の鋭角凹状連接部１ｆが形成されている。このように、隣接するコンクリート打設用型枠パネル１Ａの対向する縁部が合致することで、安定的な設置状態を確保し、パネル１Ａの境界部分においても透明性を確保することができる。
【００２４】
また、本第１実施形態では、透明なコンクリート打設用型枠パネル１Ａの材質としてアクリル樹脂を選択している。これは、できるだけ正確にコンクリートの状態を把握したいため、アクリル樹脂の全透過率が９３％という透明性の高さに着目したからである。また、アクリル樹脂は耐候性にも優れており、機械的、光学的性質が変化しにくいため、長期間にわたりコンクリート構造物を保護するのに適している。ただし、アクリル樹脂に限定されるものではなく、コンクリート打設用型枠パネル１Ａの内部に打ち込まれたコンクリート４の状態を観察できる程度の透過性を有する材料であればよい。例えば、ポリ塩化ビニル、ポリプロピレン、ポリエチレン、硬質ウレタン、強化ガラスなどが挙げられる。
【００２５】
つぎに、本第１実施形態の作用について説明する。図５に示すように、敷き固めた砂利の上に捨コンクリートを打設した基盤３の上には、コンクリート構造物５Ａに合わせて図示しない鉄筋が組み立てられる。そして、その鉄筋を取り囲むようにしてコンクリート打設用型枠パネル１Ａを組み合わせて型枠を構成する。このとき、隣接するコンクリート打設用型枠パネル１Ａを接合する場合、縁部における表面側凸状連接部１ｃと表面側凹状連接部１ｄとを重ねて配置し、接着材あるいは接合部材により接合する。このように連接して構成した型枠の間にコンクリート４を打ち込む。打ち込まれたコンクリート４は、型枠に沿って下から充填されるとともに、コンクリート打設用型枠パネル１Ａの係合用開口部２Ａａから貫通孔２Ａ内に流入する。このとき係合用開口部２Ａａは大きめに形成されているため、コンクリート４が流入しやすい。貫通孔２Ａに流入したコンクリート４は、貫通孔２Ａの内径が徐々に狭くなっていることと、その粘性により適度な位置で止まる。その後、その状態でコンクリート４を養生し硬化させる。
【００２６】
コンクリート打設用型枠パネル１Ａによる型枠内でコンクリート４が硬化すると、コンクリート４が係合用開口部２Ａａから貫通孔２Ａ内まで浸入しているため、コンクリート打設用型枠パネル１Ａがコンクリート構造物５Ａにしっかり接合することとなる。これにより、コンクリート打設用型枠パネル１Ａがコンクリート４に固定されてその外表面を風雪等から保護することができる。なお、係合用開口部２Ａａの開口径をより大きく形成したり、貫通孔２Ａの数を増加すれば、それだけ係合面積が拡大し両者の接合力が高められる。
【００２７】
また、コンクリート４を型枠内に打ち込むと内部に気泡が生じてしまう場合があるが、そのような気泡は貫通孔２Ａから外へ排除される。そして、透明なコンクリート打設用型枠パネル１Ａを通して気泡を発見した場合には、振動や衝撃を与えて気泡を強制的に貫通孔２Ａへと導いて除去すればよい。
【００２８】
コンクリート４が十分に養生されて完全に硬化すると、コンクリート打設用型枠パネル１Ａを取り外すことなく、そのまま残す。これにより、コンクリート構造物５Ａをアクリル樹脂のパネルによって保護しつつ、内側のコンクリート４の状態を目で確認し、経年変化によるコンクリート４の亀裂や剥離を発見できる。また、気泡を除去するために形成した貫通孔２Ａは防水用傾斜面２Ａｃが形成されているため、外側から水が浸入しにくく、雨水などによる被害を抑制するようになっている。
【００２９】
したがって、本第１実施形態によれば、係合用開口部２Ａａとコンクリート４がしっかり係合するため、打設されたコンクリート４とコンクリート打設用型枠パネル１Ａとの接合力を高められて、コンクリート４が固まった後も透明なコンクリート打設用型枠パネル１Ａを安全に残しておくことができる。これにより、風雨や風雪からコンクリート４を保護して劣化を抑制するとともに防水効果を高めてコンクリート４の耐久性を向上させることができる。
【００３０】
また、打設時のコンクリート４内に生じる空隙や砂利の露出を視認して対処できることはもとより、硬化後においても経年変化によるコンクリート４の亀裂や欠損を視認することができるし、例えコンクリート４が剥落してもコンクリート打設用型枠パネル１Ａによって受け止められる。
【００３１】
さらに、コンクリート打設用型枠パネル１Ａを撤去する必要がなくなるので、従来よりも作業工程が減りコストの低減に供することもできる。また、そのまま配置していても、各コンクリート打設用型枠パネル１Ａ間の接合部分は、内圧や外圧を受けても厚さ方向には簡単にずれないような形状に形成されているため、安全性を確保できるし、しかも境界部分は平面状に構成されるため透明性を確保することもできる。
【００３２】
つぎに、本発明に係るコンクリート打設用型枠パネル１Ｂの第２の実施形態について図６を参照しつつ説明する。なお、本第２実施形態の構成のうち第１実施形態で説明した構成と同一若しくは相当する構成については同一の符号を付して再度の説明を省略する。
【００３３】
前述した第１実施形態のコンクリート打設用型枠パネル１Ａでは、貫通孔２Ａの全体が、係合用開口部２Ａａから気泡除去用開口部２Ａｂにかけて徐々に孔径が狭くなるような傾斜面に形成されている。これに対し、本第２実施形態のコンクリート打設用型枠パネル１Ｂの特徴は、図６に示すように、係合用開口部２Ｂａを外側下方に傾斜させずにコンクリート打設面１ａに対して直角な面で形成されている。換言すれば、コンクリート打設用型枠パネル１Ｂを型枠として使用する場合、貫通孔２Ｂの係合用開口部２Ｂａが水平方向に向くように形成されている。
【００３４】
したがって、本第２実施形態によれば、第１実施形態の効果に加えて、打設されたコンクリート４が貫通孔２Ｂに流入する場合、係合用開口部２Ｂａで一旦滞留するようになり、流動性の高い状態のコンクリート４が貫通孔２Ｂから外側へ漏れ出てしまうのをより効果的に防止できる。
【００３５】
つぎに、本発明に係るコンクリート打設用型枠パネル１Ｃの第３の実施形態について図７を参照しつつ説明する。なお、本第３実施形態の構成のうち第１実施形態で説明した構成と同一若しくは相当する構成については同一の符号を付して再度の説明を省略する。
【００３６】
図７に示すように、本第３実施形態のコンクリート打設用型枠パネル１Ｃの特徴は、貫通孔２Ｃの経路の一部に、コンクリート打設面１ａ側から外表面１ｂ側へ向かう外側上方へと傾斜するコンクリート流出防止用傾斜面２Ｃｄが形成されている点にある。このコンクリート流出防止用傾斜面２Ｃｄは、貫通孔２Ｃの全経路のどこかに形成されていればその作用効果を発揮できると考えられるが、本第３実施形態では、最も効果的で製造しやすい位置である、係合用開口部２Ｃａから連通する位置に形成されている。これにより、貫通孔２Ｃは断面山形形状に形成されることになり、内側のコンクリート４は流出し難く、外側の雨水等は浸入し難い。
【００３７】
したがって、本第３実施形態によれば、第１実施形態の効果に加えて、コンクリート流出防止用傾斜面２Ｃｄが外側上方に傾斜して形成されているため、貫通孔２Ｃに流入した流動性の高い状態のコンクリート４がコンクリート打設用型枠パネル１Ｃの外側へ流出してしまうのを防止することができる。
【００３８】
つぎに、本発明に係るコンクリート打設用型枠パネル１Ｄの第４の実施形態について図８を参照しつつ説明する。なお、本第４実施形態の構成のうち第１実施形態で説明した構成と同一若しくは相当する構成については同一の符号を付して再度の説明を省略する。
【００３９】
本第４実施形態のコンクリート打設用型枠パネル１Ｄの特徴は、第１実施形態のように貫通孔２Ａが形成されているのではなく、コンクリート打設面１ａに有底の係合用穴６が形成されている点にある。係合用穴６の形状は特に限定されないが、コンクリート４との係合性を考慮すると、ねじ穴のように形成される等、摩擦力が高められる形状が好ましい。
【００４０】
このような第４実施形態によれば、係合用穴６にコンクリート４が浸入して硬化されると両者がしっかり係合するため、コンクリート構造物５Ｄをコンクリート打設用型枠パネル１Ｄによって風雨や風雪から保護することができるし、防水効果の向上によりコンクリートや鉄筋の劣化を抑制できる。
【００４１】
つぎに、本発明に係るコンクリート打設用型枠パネル１Ｅの第５の実施形態について図９を参照しつつ説明する。なお、本第５実施形態の構成のうち第１実施形態で説明した構成と同一若しくは相当する構成については同一の符号を付して再度の説明を省略する。
【００４２】
本第５実施形態のコンクリート打設用型枠パネル１Ｅの特徴は、コンクリート打設面１ａに突起状の係合用突起７が形成されている点にある。この係合用突起７は打設されるコンクリート４内に入り込んで係合するようになっている。その形状は、硬化後のコンクリート４としっかり係合できる形状であればよく、本第５実施形態では屈曲された爪状に形成されており、コンクリート４と一体的に接合されて簡単には抜けなくなっている。係合用突起７は、係合用穴６を形成するのとは異なり、複雑な形状に形成することが可能であるため、コンクリート構造物５Ｅへの接合力をかなり高めることができる。
【００４３】
したがって、本第５実施形態によれば、係合用突起７とコンクリート４とがしっかり係合するため、コンクリート構造物５Ｅをコンクリート打設用型枠パネル１Ｅによって風雨や風雪から保護することができるし、防水効果の向上によりコンクリートや鉄筋の劣化を抑制できる。
【００４４】
なお、本発明に係るコンクリート打設用型枠パネルにおいては、前述した実施形態に限定されるものではなく、適宜変更することができる。
【００４５】
例えば、前述した第１から第３の実施形態では、気泡除去用開口部２Ａｂ，２Ｂｂ，２Ｃｂから内部に水分が浸入するのを防止するために防水用傾斜面２Ａｃ，２Ｂｃ，２Ｃｃを形成している。しかしながら、通気が可能で水分の浸入を防止する構造であればよい。したがって、通気性を有していながら液体を透過させない多孔質フィルムを気泡除去用開口部２Ａｂ，２Ｂｂ，２Ｃｂに貼付してもよい。これによれば、トンネルの天井部を成型するときのように、貫通孔２Ａ，２Ｂ，２Ｃが鉛直方向を向いた状態でコンクリート打設用型枠パネル１Ａ，１Ｂ，１Ｃを使用する場合でも、未硬化状態のコンクリートが漏れ出るのを防止することができる。
【００４６】
また、前述した第１から第３の実施形態のコンクリート打設用型枠パネル１Ａ，１Ｂ，１Ｃに、さらに係合用穴６や係合用突起７を形成してもよい。これにより、コンクリート４とコンクリート打設用型枠パネル１Ａ，１Ｂ，１Ｃとの接合力が高められる。
【００４７】
【発明の効果】
以上説明したように本発明によれば、打設されたコンクリートと型枠用パネルとの接合力を高めることでコンクリートが固まった後も透明または半透明な型枠用パネル自体を安全に残しておくことができ、打設時のコンクリート内に生じる空隙や砂利の露出を視認して対処できることはもとより、硬化後においても経年変化によるコンクリートの剥落を受け止められるし、亀裂や欠損を視認することができ、また、風雨や風雪からコンクリートを保護して劣化を抑制するとともに防水効果を高めてコンクリートの耐久性を向上させることができる。
【図面の簡単な説明】
【図１】本発明に係るコンクリート打設用型枠パネルの第１の実施形態を示す正面図である。
【図２】図１を右側面から見た断面図である。
【図３】本第１実施形態における隣接するコンクリート打設用型枠パネルとの接合部分を示す断面図である。
【図４】本第１実施形態における隣接するコンクリート打設用型枠パネルとの接合部分の他のバリエーションを示す断面図である。
【図５】第１実施形態のコンクリート打設用型枠パネルを用いて型枠内にコンクリートを打設した状態を示す断面図である。
【図６】本発明に係るコンクリート打設用型枠パネルの第２実施形態を用いて型枠内にコンクリートを打設した状態を示す断面図である。
【図７】本発明に係るコンクリート打設用型枠パネルの第３実施形態を用いて型枠内にコンクリートを打設した状態を示す断面図である。
【図８】本発明に係るコンクリート打設用型枠パネルの第４実施形態を用いて型枠内にコンクリートを打設した状態を示す断面図である。
【図９】本発明に係るコンクリート打設用型枠パネルの第５実施形態を用いて型枠内にコンクリートを打設した状態を示す断面図である。
【符号の説明】
１Ａ，１Ｂ，１Ｃ，１Ｄ，１Ｅ　コンクリート打設用型枠パネル
１ａ　コンクリート打設面
１ｂ　外表面
１ｃ　表面側凸状連結部
１ｄ　表面側凹状連結部
１ｅ　鋭角凸状連結部
１ｆ　鋭角凹状連結部
２Ａ，２Ｂ，２Ｃ　貫通孔
２Ａａ，２Ｂａ，２Ｃａ　係合用開口部
２Ａｂ，２Ｂｂ，２Ｃｂ　気泡除去用開口部
２Ａｃ，２Ｂｃ，２Ｃｃ　防水用傾斜面
２Ｃｄ　コンクリート流出防止用傾斜面
３　基盤
４　コンクリート
５Ａ，５Ｂ，５Ｃ，５Ｄ，５Ｅ　コンクリート構造物
６　係合用穴
７　係合用突起
【図１】
2004084337.tif 000003
【図２】
2004084337.tif 000004
【図３】
2004084337.tif 000005
【図４】
2004084337.tif 000006
【図５】
2004084337.tif 000007
【図６】
2004084337.tif 000008
【図７】
2004084337.tif 000009
【図８】
2004084337.tif 000010
【図９】
2004084337.tif 000011
【手続補正書】
【提出日】平成15年2月17日(2003.2.17)
【手続補正１】
【補正対象書類名】明細書
【補正対象項目名】特許請求の範囲
【補正方法】変更
【補正の内容】
【特許請求の範囲】
【請求項１】
コンクリートを打設してコンクリート構造物を成型するための型枠に使用される透明または半透明な型枠パネルであって、
この型枠パネルの厚さ方向にコンクリート打設面から外表面にかけて貫通する貫通孔が形成されており、この貫通孔のコンクリート打設面側の開口部は打設されたコンクリートが浸入して係合する係合用開口部とされているとともに、前記貫通孔の経路の少なくとも一部には、その内周面全体が外側下方へと傾斜する防水用傾斜孔が形成されていることを特徴とするコンクリート打設用型枠パネル。
【請求項２】
請求項１において、前記貫通孔の前記外表面側の開口部が、前記コンクリート打設面側の開口部よりも小さな径に形成されていることを特徴とするコンクリート打設用型枠パネル。
【請求項３】
請求項１または請求項２において、前記貫通孔の経路には、さらに前記防水用傾斜孔よりもコンクリート打設面側に、その内周面全体が外側上方へと傾斜するコンクリート流出防止用傾斜孔が形成されていることを特徴とするコンクリート打設用型枠パネル。
【請求項４】
請求項１から請求項３のいずれかにおいて、前記型枠パネルのコンクリート打設面側には、打設されたコンクリートが係合するための屈曲された爪状の係合用突起およびねじ穴状の係合用穴の少なくとも一方が形成されていることを特徴とするコンクリート打設用型枠パネル。
【手続補正２】
【補正対象書類名】明細書
【補正対象項目名】０００９
【補正方法】変更
【補正の内容】
【０００９】
【課題を解決するための手段】
本発明に係るコンクリート打設用型枠パネルの特徴は、コンクリートを打設してコンクリート構造物を成型するための型枠に使用される透明または半透明な型枠パネルであって、この型枠パネルの厚さ方向にコンクリート打設面から外表面にかけて貫通する貫通孔が形成されており、この貫通孔のコンクリート打設面側の開口部は打設されたコンクリートが浸入して係合する係合用開口部とされているとともに、前記貫通孔の経路の少なくとも一部には、その内周面全体が外側下方へと傾斜する防水用傾斜孔が形成されている点にある。


【手続補正３】
【補正対象書類名】明細書
【補正対象項目名】００１０
【補正方法】変更
【補正の内容】
【００１０】
そして、このような構成を採用したことにより、型枠パネルの厚さ方向にコンクリート打設面から外表面まで貫通する貫通孔が形成されているので、打設されたコンクリート内の気泡を除去しやすく、空隙が生じてしまうのを抑制できるという作用を奏するし、また、貫通孔の係合用開口部には、打設されたコンクリートが填り込んで係合するため、コンクリートと型枠パネルとを一体的に接合させられるという作用がある。さらに、貫通孔にはその内周面全体が外側下方へと傾斜する防水用傾斜孔が形成されているため、外表面側から雨水等が浸入しづらく、コンクリートに水が混入したり接触するのを防止するという作用を奏する。


【手続補正４】
【補正対象書類名】明細書
【補正対象項目名】００１２
【補正方法】変更
【補正の内容】
【００１２】
さらに、本発明において、前記貫通孔の経路には、さらに前記防水用傾斜孔よりもコンクリート打設面側に、その内周面全体が外側上方へと傾斜するコンクリート流出防止用傾斜孔が形成されていることが好ましい。これによれば、コンクリート流出防止用傾斜孔が硬化前のコンクリートの流出を抑制し、外側にはみ出るのを防止する。


【手続補正５】
【補正対象書類名】明細書
【補正対象項目名】００１３
【補正方法】変更
【補正の内容】
【００１３】
また、本発明において、前記型枠パネルのコンクリート打設面側には、打設されたコンクリートが係合するための屈曲された爪状の係合用突起およびねじ穴状の係合用穴の少なくとも一方が形成されている点にある。ここで、係合用穴には有底の係合用穴と貫通した無底の係合用穴の両方が含まれる。


【手続補正６】
【補正対象書類名】明細書
【補正対象項目名】００２１
【補正方法】変更
【補正の内容】
【００２１】
また、図２に示すように、貫通孔２Ａは、その貫通経路の少なくとも一部に、その内周面全体がコンクリート打設面１ａ側から外表面１ｂ側へ向かう外側下方へと傾斜する防水用傾斜孔２Ａｃが形成されている。これは、気泡除去用開口部２Ａｂから流入してくる雨水等を中まで浸入させないようにするためのものである。本第１実施形態では、貫通孔２Ａの全経路にわたって防水用傾斜孔２Ａｃが形成されているが、全体にわたって形成されている必要はなく、気泡除去用開口部２Ａｂから入った水がコンクリート４に到達しない程度の傾斜長および傾斜角度に形成されていればよい。


【手続補正７】
【補正対象書類名】明細書
【補正対象項目名】００２８
【補正方法】変更
【補正の内容】
【００２８】
コンクリート４が十分に養生されて完全に硬化すると、コンクリート打設用型枠パネル１Ａを取り外すことなく、そのまま残す。これにより、コンクリート構造物５Ａをアクリル樹脂のパネルによって保護しつつ、内側のコンクリート４の状態を目で確認し、経年変化によるコンクリート４の亀裂や剥離を発見できる。また、気泡を除去するために形成した貫通孔２Ａは防水用傾斜孔２Ａｃが形成されているため、外側から水が浸入しにくく、雨水などによる被害を抑制するようになっている。


【手続補正８】
【補正対象書類名】明細書
【補正対象項目名】００３６
【補正方法】変更
【補正の内容】
【００３６】
図７に示すように、本第３実施形態のコンクリート打設用型枠パネル１Ｃの特徴は、貫通孔２Ｃの経路における防水用傾斜孔２Ｃｃよりもコンクリート打設面側に、その内周面全体がコンクリート打設面１ａ側から外表面１ｂ側へ向かう外側上方へと傾斜するコンクリート流出防止用傾斜孔２Ｃｄが形成されている点にある。このコンクリート流出防止用傾斜孔２Ｃｄは、貫通孔２Ｃの全経路のどこかに形成されていればその作用効果を発揮できると考えられるが、本第３実施形態では、最も効果的で製造しやすい位置である、係合用開口部２Ｃａから連通する位置に形成されている。これにより、貫通孔２Ｃは断面山形形状に形成されることになり、内側のコンクリート４は流出し難く、外側の雨水等は浸入し難い。


【手続補正９】
【補正対象書類名】明細書
【補正対象項目名】００３７
【補正方法】変更
【補正の内容】
【００３７】
したがって、本第３実施形態によれば、第１実施形態の効果に加えて、コンクリート流出防止用傾斜孔２Ｃｄが外側上方に傾斜して形成されているため、貫通孔２Ｃに流入した流動性の高い状態のコンクリート４がコンクリート打設用型枠パネル１Ｃの外側へ流出してしまうのを防止することができる。


【手続補正１０】
【補正対象書類名】明細書
【補正対象項目名】００４５
【補正方法】変更
【補正の内容】
【００４５】
例えば、前述した第１から第３の実施形態では、気泡除去用開口部２Ａｂ，２Ｂｂ，２Ｃｂから内部に水分が浸入するのを防止するために防水用傾斜孔２Ａｃ，２Ｂｃ，２Ｃｃを形成している。しかしながら、通気が可能で水分の浸入を防止する構造であればよい。したがって、通気性を有していながら液体を透過させない多孔質フィルムを気泡除去用開口部２Ａｂ，２Ｂｂ，２Ｃｂに貼付してもよい。これによれば、トンネルの天井部を成型するときのように、貫通孔２Ａ，２Ｂ，２Ｃが鉛直方向を向いた状態でコンクリート打設用型枠パネル１Ａ，１Ｂ，１Ｃを使用する場合でも、未硬化状態のコンクリートが漏れ出るのを防止することができる。


【手続補正１１】
【補正対象書類名】明細書
【補正対象項目名】符号の説明
【補正方法】変更
【補正の内容】
【符号の説明】
１Ａ，１Ｂ，１Ｃ，１Ｄ，１Ｅ　コンクリート打設用型枠パネル
１ａ　コンクリート打設面
１ｂ　外表面
１ｃ　表面側凸状連結部
１ｄ　表面側凹状連結部
１ｅ　鋭角凸状連結部
１ｆ　鋭角凹状連結部
２Ａ，２Ｂ，２Ｃ　貫通孔
２Ａａ，２Ｂａ，２Ｃａ　係合用開口部
２Ａｂ，２Ｂｂ，２Ｃｂ　気泡除去用開口部
２Ａｃ，２Ｂｃ，２Ｃｃ　防水用傾斜孔
２Ｃｄ　コンクリート流出防止用傾斜孔
３　基盤
４　コンクリート
５Ａ，５Ｂ，５Ｃ，５Ｄ，５Ｅ　コンクリート構造物
６　係合用穴
７　係合用突起




【手続補正書】
【提出日】平成15年7月7日(2003.7.7)
【手続補正１】
【補正対象書類名】明細書
【補正対象項目名】特許請求の範囲
【補正方法】変更
【補正の内容】
【特許請求の範囲】
【請求項１】
コンクリートを打設してコンクリート構造物を成型するための型枠に使用される透明または半透明な型枠パネルであって、
この型枠パネルの厚さ方向にコンクリート打設面から外表面にかけて貫通する貫通孔が形成されており、この貫通孔のコンクリート打設面側の開口部は打設されたコンクリートが浸入して係合する係合用開口部とされているとともに、前記貫通孔の経路のうち外表面側には、その内周面全体が外側下方へと傾斜して水の浸入を防止する防水用傾斜孔が形成され、この防水用傾斜孔よりもコンクリート打設面側には、その内周面全体が外側上方へと傾斜してコンクリートの流出を防止するコンクリート流出防止用傾斜孔が形成されていることを特徴とするコンクリート打設用型枠パネル。
【手続補正２】
【補正対象書類名】明細書
【補正対象項目名】０００９
【補正方法】変更
【補正の内容】
【０００９】
【課題を解決するための手段】
本発明に係るコンクリート打設用型枠パネルの特徴は、コンクリートを打設してコンクリート構造物を成型するための型枠に使用される透明または半透明な型枠パネルであって、この型枠パネルの厚さ方向にコンクリート打設面から外表面にかけて貫通する貫通孔が形成されており、この貫通孔のコンクリート打設面側の開口部は打設されたコンクリートが浸入して係合する係合用開口部とされているとともに、前記貫通孔の経路のうち外表面側には、その内周面全体が外側下方へと傾斜して水の浸入を防止する防水用傾斜孔が形成され、この防水用傾斜孔よりもコンクリート打設面側には、その内周面全体が外側上方へと傾斜してコンクリートの流出を防止するコンクリート流出防止用傾斜孔が形成されている点にある。


【手続補正３】
【補正対象書類名】明細書
【補正対象項目名】００１０
【補正方法】変更
【補正の内容】
【００１０】
そして、このような構成を採用したことにより、型枠パネルの厚さ方向にコンクリート打設面から外表面まで貫通する貫通孔が形成されているので、打設されたコンクリート内の気泡を除去しやすく、空隙が生じてしまうのを抑制できるという作用を奏するし、また、貫通孔の係合用開口部には、打設されたコンクリートが填り込んで係合するため、コンクリートと型枠パネルとを一体的に接合させられるという作用がある。さらに、貫通孔にはその内周面全体が外側下方へと傾斜して水の浸入を防止する防水用傾斜孔が形成されているため、外表面側から雨水等が浸入しづらく、コンクリートに水が混入したり接触するのを防止するし、この防水用傾斜孔よりもコンクリート打設面側には、その内周面全体が外側上方へと傾斜してコンクリートの流出を防止するコンクリート流出防止用傾斜孔が形成されているため、硬化前のコンクリートの流出を抑制し、外側にはみ出るのを防止するという作用を奏する。


【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】